(57)【要約】【課題】  カラオケ歌唱動画の再生に際して、統計的に視聴する価値が高いと評価された再生箇所を表示して、歌唱力や表現力に優れた再生箇所を容易かつ確実に探し出せるようにする。【解決手段】  任意のカラオケ歌唱動画について、視聴する価値が高いと評価された再生箇所評価情報を当該カラオケ歌唱動画の識別情報と関連付けて記憶する再生箇所評価情報記憶手段２４と、カラオケ歌唱動画毎に、記憶した再生箇所評価情報が所定の範囲において所定数以上存在した場合に、当該所定の範囲を当該カラオケ歌唱動画の視聴推薦箇所情報２７ｃとして、当該カラオケ歌唱動画の識別情報と関連付けて記憶する視聴推薦箇所統計記憶手段２５と、任意のカラオケ歌唱動画を再生する際に、当該カラオケ歌唱動画の視聴推薦箇所情報２７ｃに基づき、視聴推薦箇所を表示する視聴推薦箇所表示制御手段６２とを備える。【選択図】図１
2014149399.tif 000002
【特許請求の範囲】
【請求項１】
任意のカラオケ歌唱動画について、視聴者により視聴する価値が高いと評価された視聴推薦箇所を統計的に求め、当該カラオケ歌唱動画を再生する際に、当該視聴推薦箇所を表示することが可能なカラオケ歌唱動画の視聴推薦箇所表示システムであって、再生箇所評価情報記憶手段と、視聴推薦箇所統計記憶手段と、視聴推薦箇所表示制御手段と、を備え、
前記再生箇所評価情報記憶手段は、任意のカラオケ歌唱動画の再生中に視聴者により指定入力が行われた再生箇所を、当該カラオケ歌唱動画について視聴する価値が高いと評価された指定再生箇所として、当該カラオケ歌唱動画の識別情報と関連付けて記憶し、
前記視聴推薦箇所統計記憶手段は、前記カラオケ歌唱動画毎に、前記記憶した指定再生箇所が所定の範囲において所定数以上存在した場合に、当該所定の範囲を当該カラオケ歌唱動画の視聴推薦箇所情報として、当該カラオケ歌唱動画の識別情報と関連付けて記憶し、
前記視聴推薦箇所表示制御手段は、任意のカラオケ歌唱動画を再生する際に、当該カラオケ歌唱動画の識別情報に関連付けられた視聴推薦箇所情報に基づき、当該カラオケ歌唱動画の視聴推薦箇所を表示する、
ことを特徴とするカラオケ歌唱動画の視聴推薦箇所表示システム。
【請求項２】
再生箇所表示制御手段をさらに備え、
前記再生箇所表示制御手段は、任意のカラオケ歌唱動画を再生する際に、当該カラオケ歌唱動画の再生に伴う時系列の再生箇所を表示し、
前記視聴推薦箇所表示制御手段は、前記再生箇所の表示に対して、前記視聴推薦箇所を時系列に表示する、
ことを特徴とする請求項１に記載のカラオケ歌唱動画の視聴推薦箇所表示システム。
【請求項３】
視聴推薦箇所表示移行手段をさらに備え、
前記視聴推薦箇所表示移行手段は、任意のカラオケ歌唱動画を再生する際に、再生開始箇所を当該カラオケ歌唱動画の前記視聴推薦箇所に移行可能とする、
ことを特徴とする請求項１又は２に記載のカラオケ歌唱動画の視聴推薦箇所表示システム。
【発明の詳細な説明】
【技術分野】
【０００１】
本発明は、カラオケ歌唱動画を再生する際に、複数の視聴者の評価に基づいて、統計的に視聴する価値が高いと評価された再生箇所を表示することにより、カラオケ歌唱動画を視聴する楽しさを高めることが可能なシステムに関するものである。
【背景技術】
【０００２】
カラオケ楽曲を演奏する際に歌唱者の歌唱音声を録音し、あるいは歌唱姿態を録画して公開するカラオケ歌唱動画の公開システムが普及している。カラオケ歌唱動画の視聴者は、優れた歌唱力や表現力を持った歌唱者のカラオケ歌唱動画の視聴を望むのが一般的である。この際、公開されているカラオケ歌唱動画を無作為に視聴したのでは、優れた歌唱力や表現力を持った歌唱者のカラオケ歌唱動画を探し出すのに時間と手間がかかってしまう。そこで、視聴者が視聴を所望するカラオケ歌唱動画を選択するための技術が種々開示されている（例えば、特許文献１及び特許文献２参照）。
【０００３】
特許文献１に記載された技術は、視聴したい再生情報（例えば、ＨＤＤに記録された楽曲）を容易に探し出すことができるようにした再生装置に関する技術である。この再生装置は、各再生情報における代表部分を指定する指定情報を記録する指定情報記録手段が設けられている。そして、再生制御手段により、指定情報記録手段に記録される指定情報に基づいて、各再生情報における代表部分を抽出して再生するように、再生手段を制御する。これにより、再生情報の特定部分、例えば、視聴者が良く知っている部分（例えば、フレーズ）を視聴することができるので、所望する再生情報を容易に探し出すことができるとしている。
【０００４】
特許文献２に記載された技術は、録画した映像コンテンツ（例えば、字幕情報を有する映画）から、ユーザの嗜好に合うシーンを抽出することができるようにした再生装置に関する技術である。この再生装置は、シーンに区分されたコンテンツの再生中に行われた操作の指示と、当該指示を受け付けた際に再生をしていた箇所とを関連付けて記録した記録部を参照して、早送りまたは巻き戻しの操作の指示の後に再生した箇所を特定する。嗜好分析部は、特定されたシーンを抽出して、抽出したシーンについて第１の特徴量を求める。嗜好判定部は、他のコンテンツをシーンに区分して得られた各シーンについて第２の特徴量を求め、第１の特徴量と第２の特徴量とを比較し、第１及び第２の特徴量の差が所定の閾値以内となる第２の特徴量を有するシーンを抽出する。そして、プレビューシーン表示部により、抽出したシーンを出力する。
【先行技術文献】
【特許文献】
【０００５】
【特許文献１】特開２００６−２０２４３７号公報
【特許文献２】特開２０１０−２５８６１５号公報
【発明の概要】
【発明が解決しようとする課題】
【０００６】
上述したように、カラオケ歌唱動画の視聴者は、歌唱力や表現力に優れたカラオケ歌唱動画の視聴を望んでいる。さらに、このような歌唱力や表現力に優れたカラオケ歌唱動画であっても、時間的制約等により、楽曲全体について視聴を望むのではなく、特に歌唱力や表現力に優れた部分の視聴を望む場合が多い。
【０００７】
しかし、歌唱力や表現力の判定基準が曖昧であると、所望するカラオケ歌唱動画において見所となる箇所を容易に探し出すことができない。例えば、他のカラオケ歌唱動画と比較して再生回数が多いカラオケ歌唱動画が存在すると、当該カラオケ歌唱動画は歌唱力や表現力に優れている箇所を含んでいるため多数の視聴者が視聴したと推定して、当該カラオケ歌唱動画を選択して再生する場合がある。しかし、当該カラオケ歌唱動画を最後まで視聴しても、特段、歌唱力や表現力に優れている箇所が存在しない場合もあり、せっかくの視聴が無駄になってしまうことが考えられる。
【０００８】
特許文献１に記載された技術は、ただ単に、再生情報（カラオケ歌唱動画等）の特徴的部分を抽出して再生するだけであり、この特徴的部分が歌唱力や表現力の優劣についての判断基準となるとは限らない。
【０００９】
また、特許文献２に記載された技術は、各視聴者個人の嗜好特性を分析することにより、当該視聴者の嗜好に近い再生部分をプレビュー表示するものであり、必ずしも、他の視聴者にとって歌唱力や表現力に優れていると評価される再生部分を抽出しているとは限らない。また、字幕情報を嗜好特性の判断基準としているため、これをそのままカラオケ歌唱動画に適用することはできない。
【００１０】
本発明は、上述した事情に鑑み提案されたもので、カラオケ歌唱動画を再生する際に、統計的に視聴する価値が高いと評価された再生箇所を表示することにより、歌唱力や表現力に優れた再生箇所を容易かつ確実に探し出すことが可能なカラオケ歌唱動画の視聴推薦箇所表示システムを提供することを目的とする。
【課題を解決するための手段】
【００１１】
本発明のカラオケ歌唱動画の視聴推薦箇所表示システムは、上述した目的を達成するため、以下の特徴点を有している。すなわち、本発明のカラオケ歌唱動画の視聴推薦箇所表示システムは、任意のカラオケ歌唱動画について、視聴者により視聴する価値が高いと評価された視聴推薦箇所を統計的に求め、当該カラオケ歌唱動画を再生する際に、当該視聴推薦箇所を表示することが可能なカラオケ歌唱動画の視聴推薦箇所表示システムであって、再生箇所評価情報記憶手段と、視聴推薦箇所統計記憶手段と、視聴推薦箇所表示制御手段とを備えたことを特徴とするものである。
【００１２】
再生箇所評価情報記憶手段は、任意のカラオケ歌唱動画の再生中に視聴者により指定入力が行われた再生箇所を、当該カラオケ歌唱動画について視聴する価値が高いと評価された指定再生箇所として、当該カラオケ歌唱動画の識別情報と関連付けて記憶するための手段である。視聴推薦箇所統計記憶手段は、カラオケ歌唱動画毎に、記憶した指定再生箇所が所定の範囲において所定数以上存在した場合に、当該所定の範囲を当該カラオケ歌唱動画の視聴推薦箇所情報として、当該カラオケ歌唱動画の識別情報と関連付けて記憶するための手段である。
【００１３】
視聴推薦箇所表示制御手段は、任意のカラオケ歌唱動画を再生する際に、当該カラオケ歌唱動画の識別情報に関連付けられた視聴推薦箇所情報に基づき、当該カラオケ歌唱動画の視聴推薦箇所を表示するための手段である。
【００１４】
また、上述した構成に加えて、再生箇所表示制御手段をさらに備えることが可能である。再生箇所表示制御手段は、任意のカラオケ歌唱動画を再生する際に、当該カラオケ歌唱動画の再生に伴う時系列の再生箇所を表示するための手段である。このような構成の場合に、視聴推薦箇所表示制御手段は、再生箇所の表示に対して、視聴推薦箇所を時系列に表示するように機能する。
【００１５】
また、上述した構成に加えて、視聴推薦箇所表示移行手段をさらに備えることが可能である。視聴推薦箇所表示移行手段は、任意のカラオケ歌唱動画を再生する際に、再生開始箇所を当該カラオケ歌唱動画の視聴推薦箇所に移行可能とするための手段である。
【００１６】
このような構成からなるカラオケ歌唱動画の視聴推薦箇所表示システムでは、任意のカラオケ歌唱動画を視聴した視聴者が、歌唱力や表現力等が優れていると評価した再生箇所について指定入力を行うと、当該指定入力に基づいて、再生箇所評価情報記憶手段の機能により、当該指定入力が行われた指定再生箇所を当該カラオケ歌唱動画の識別情報と関連付けて記憶する。
【００１７】
そして、視聴推薦箇所統計記憶手段の機能により、カラオケ歌唱動画毎に、記憶された指定再生箇所が所定の範囲において所定数以上存在すると、当該所定の範囲を当該カラオケ歌唱動画の視聴推薦箇所情報として、当該視聴推薦箇所情報と当該カラオケ歌唱動画の識別情報と関連付けて記憶する。
【００１８】
なお、視聴推薦箇所情報の統計処理では、指定再生箇所が完全に一致している必要はなく、所定範囲の再生経過時間内に、複数の指定再生箇所が所定数以上存在した場合に、当該所定範囲の再生経過時間を視聴推薦箇所情報とする。
【００１９】
任意のカラオケ歌唱動画の再生を行うと、視聴推薦箇所表示制御手段の機能により、当該カラオケ歌唱動画の識別情報に関連付けられた視聴推薦箇所情報に基づいて、視聴推薦箇所を表示する。この際、例えば、視聴推薦箇所の再生開始箇所を表示すればよい。
【００２０】
また、再生箇所表示制御手段を備えた構成の場合には、カラオケ歌唱動画の再生に伴う時系列の再生箇所を表示することができる。例えば、再生箇所は、時間軸方向に伸びた演奏経過時間表示バー上のスライダとして表示することができる。この場合に、視聴推薦箇所表示制御手段は、再生箇所の表示に対して、視聴推薦箇所を時系列に表示する。上述した例では、時間軸方向に伸びた演奏経過時間表示バー上に、視聴推薦箇所の開始位置を「見所ポイント」として表示する。
【００２１】
また、視聴推薦箇所表示移行手段を備えた構成の場合には、カラオケ歌唱動画の再生開始箇所を、当該カラオケ歌唱動画の視聴推薦箇所に移行することができる。例えば、視聴者が演奏経過時間表示バー上に表示されるスライダを、視聴推薦箇所の開始位置（見所ポイント）までスライドさせることにより、当該見所ポイントからカラオケ歌唱動画の再生を開始することができる。また、視聴推薦箇所情報に基づく視聴推薦箇所の開始位置から自動的にカラオケ歌唱動画の再生を開始してもよい。
【発明の効果】
【００２２】
本発明のカラオケ歌唱動画の視聴推薦箇所表示システムによれば、カラオケ歌唱動画を視聴した視聴者による評価を統計的に処理することにより、歌唱力や表現力等が優れていると評価された再生箇所を当該カラオケ歌唱動画の視聴推薦箇所とする。そして、カラオケ歌唱動画を再生する際に、当該カラオケ歌唱動画の視聴推薦箇所を表示することにより、視聴者は統計的に高評価を得ている視聴推薦箇所を知ることができる。
【００２３】
したがって、時間的制約等により、楽曲全体について視聴を望まない場合に、特に歌唱力や表現力が優れていると統計的に判断された部分を視聴することができるので、カラオケ歌唱動画を視聴する楽しさを高めることができる。
【図面の簡単な説明】
【００２４】
【図１】本発明の実施形態に係る視聴推薦箇所表示システムを適用したカラオケ演奏端末の構成を示すブロック図。
【図２】再生箇所評価情報の一例を示す説明図。
【図３】視聴推薦箇所情報の作成手順の一例を示す説明図。
【図４】視聴推薦箇所情報の作成手順の他の例を示す説明図。
【図５】視聴推薦箇所情報の一例を示す説明図。
【図６】視聴推薦箇所の表示画面を示す模式図。
【発明を実施するための形態】
【００２５】
以下、図面を参照して、本発明のカラオケ歌唱動画の視聴推薦箇所表示システム（以下、視聴推薦箇所表示システムと略記する）の実施形態について説明する。図１〜図６は本発明の実施形態に係る視聴推薦箇所表示システムを示すもので、図１は視聴推薦箇所表示システムを適用したカラオケ演奏端末の構成を示すブロック図、図２は再生箇所評価情報の一例を示す説明図、図３及び図４は視聴推薦箇所情報の作成手順を示す説明図、図５は視聴推薦箇所情報の一例を示す説明図、図６は視聴推薦箇所の表示画面を示す模式図である。
【００２６】
＜システムの概要＞
本発明の実施形態に係る視聴推薦箇所表示システムは、カラオケ歌唱動画について、視聴者により視聴する価値が高いと評価された視聴推薦箇所を統計的に求め、当該カラオケ歌唱動画を再生する際に、当該視聴推薦箇所を表示することが可能なシステムである。
【００２７】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２８】
また、利用者を識別するための利用者識別情報は、利用者がカラオケ演奏端末を含むシステムにログインする際に取得するようになっている。すなわち、本実施形態の歌唱採点結果表示システムでは、利用者が所持するＩＤカードをカラオケリモコン装置の受信部に近接させて情報を送信したり、携帯情報端末の無線通信網及びネットワーク回線を介してカラオケ演奏端末に情報を送信したり、携帯情報端末から直接、カラオケ演奏端末に情報を送信したりすることにより、システムログインした利用者の利用者識別情報（利用者ＩＤ）を取得することができる。なお、会員登録していない利用者であっても、仮の利用者識別情報（仮利用者ＩＤ）を発行して、システムログインできるようにしてもよい。
【００２９】
本発明の実施形態に係る視聴推薦箇所表示システム１０は、図１に示すように、再生箇所評価情報記憶手段２４と、視聴推薦箇所統計記憶手段２５と、視聴推薦箇所表示制御手段６２とにより実現される。さらに、本発明の実施形態に係る視聴推薦箇所表示システム１０は、再生箇所表示制御手段６３と、視聴推薦箇所表示移行手段６４を備えることが可能である。本実施形態では、再生箇所評価情報記憶手段２４と、視聴推薦箇所統計記憶手段２５とは、カラオケ歌唱動画管理サーバ２０の機能手段として実現され、視聴推薦箇所表示制御手段６２と、再生箇所表示制御手段６３と、視聴推薦箇所表示移行手段６４は、カラオケ演奏端末３０（カラオケ本体３１）の機能手段として実現される。
【００３０】
なお、視聴推薦箇所表示制御手段６２と、再生箇所表示制御手段６３と、視聴推薦箇所表示移行手段６４は、カラオケ歌唱動画管理サーバ２０にネットワーク接続可能なパーソナルコンピュータや携帯情報端末等のネットワーク情報端末の機能手段として実現してもよい。
【００３１】
本発明の実施形態に係る視聴推薦箇所表示システム１０は、図１に示すように、カラオケ歌唱動画管理サーバ２０と複数のカラオケ演奏端末３０とが、ルータ７０及び通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００３２】
＜カラオケ歌唱動画管理サーバ＞
カラオケ歌唱動画管理サーバ２０は、カラオケ歌唱動画を格納して公開するためのサーバで、サーバ制御手段２１、データ送受信手段２２、カラオケ歌唱動画管理手段２３、再生箇所評価情報記憶手段２４、視聴推薦箇所統計記憶手段２５、カラオケ歌唱動画データベース２６、各種データ（カラオケ歌唱動画データ２７ａ、再生箇所評価情報２７ｂ、視聴推薦箇所情報２７ｃ）の記憶手段２７（例えばＨＤＤ）を備えている。なお、カラオケ歌唱動画を管理するための専用のカラオケ歌唱動画管理サーバ２０を備えるのではなく、他のサーバにカラオケ歌唱動画管理サーバ２０の機能を兼ね備えさせてもよい。また、仮想化技術により、一つのサーバを複数の機能を有するサーバとして機能させ、仮想化サーバの一つとしてカラオケ歌唱動画管理サーバ２０を構築することができる。
【００３３】
＜サーバ制御手段／データ送受信手段＞
サーバ制御手段２１は、カラオケ歌唱動画管理サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。データ送受信手段２２は、各カラオケ演奏端末３０との間で、カラオケ歌唱動画等の各種データの送受信を行うための手段であり、通信ネットワーク（インターネット４０）における通信方式の整合性を保つための通信回路やプログラムにより構成される。
【００３４】
＜カラオケ歌唱動画管理手段＞
カラオケ歌唱動画管理手段２３は、少なくとも、カラオケ歌唱動画を録音・録画した際に演奏されたカラオケ楽曲の楽曲識別情報（例えば、楽曲ＩＤ）と、カラオケ歌唱動画を録音・録画した利用者の利用者識別情報（例えば、利用者ＩＤ）と、当該カラオケ歌唱動画の動画識別情報（映像ＩＤ）と、当該カラオケ歌唱動画の視聴推薦箇所情報２７ｃを関連付けて管理するためのプログラムからなる。なお、視聴推薦箇所情報２７ｃが付帯していないカラオケ歌唱動画が存在していてもよい。
【００３５】
すなわち、カラオケ歌唱動画管理手段２３は、カラオケ演奏端末３０からカラオケ歌唱動画がアップロードされると（送信されてくると）、カラオケ歌唱動画を録音・録画した際に演奏されたカラオケ楽曲の楽曲ＩＤと、当該カラオケ歌唱動画の識別ＩＤと、歌唱者の利用者ＩＤとを関連付け、さらに視聴推薦箇所情報２７ｃが作成された場合には、当該視聴推薦箇所情報２７ｃを関連付けて、カラオケ歌唱動画データベース２６にて管理する。カラオケ歌唱動画データ２７ａ及び視聴推薦箇所情報２７ｃは、ＨＤＤ等の記憶手段２７に記憶する。
【００３６】
＜カラオケ歌唱動画データベース＞
カラオケ歌唱動画データベース２６は、カラオケ歌唱動画管理手段２３の機能により管理されるデータベースであり、カラオケ歌唱動画の識別ＩＤ、楽曲ＩＤ、利用者ＩＤ、視聴推薦箇所情報２７ｃ等を関連付けて構成したデータベースである。なお、カラオケ歌唱動画データベース２６を構成するデータは、上述したデータの他に、利用者のハンドル名、録音録画日時、サムネイル画像、性別、年齢、居住地域等、他のデータを付加してもよい。各データはカラオケ演奏端末３０において生成され、通信ネットワーク（インターネット４０）を介して、カラオケ歌唱動画管理サーバ２０に送信されてくるデータである。
【００３７】
また、カラオケ歌唱動画データ２７ａと視聴推薦箇所情報２７ｃとを別個のデータとして管理するのではなく、これらを一纏めのデータとして管理してもよい。
【００３８】
＜再生箇所評価情報記憶手段＞
再生箇所評価情報記憶手段２４は、任意のカラオケ歌唱動画の再生中に視聴者により指定入力が行われた再生箇所を、当該カラオケ歌唱動画について視聴する価値が高いと評価された指定再生箇所として、当該カラオケ歌唱動画の識別情報と関連付けて記憶するためのプログラムからなる。すなわち、再生箇所評価情報記憶手段２４は、カラオケ歌唱動画管理サーバ２０にネットワーク接続されている視聴者のパーソナルコンピュータや、カラオケリモコン装置３７から入力される指定再生箇所信号を受信した場合に、当該指定再生箇所信号に基づく指定再生箇所とカラオケ歌唱動画の識別情報とを連付けることにより、再生箇所評価情報２７ｂを生成して記憶する。
【００３９】
＜再生箇所評価情報＞
再生箇所評価情報２７ｂは、例えば、図２に示すように、カラオケ楽曲毎に、その映像ＩＤ及び楽曲ＩＤと、視聴者により指定入力が行われた指定再生箇所の情報（例えば再生経過時間）とを関連付けて構成した情報である。再生箇所評価情報２７ｂにおいて記憶可能な指定再生箇所の領域は限られているため、所定数の指定再生箇所を記憶した場合には、新たな指定再生箇所を記憶できないが、指定再生箇所について、統計処理に必要な情報量を確保できていれば、視聴推薦箇所の統計処理に影響を及ぼすことはない。なお、不適切な指定再生箇所が指定入力されることも考えられるが、視聴者から視聴推薦箇所が不適切である等の情報提供があった場合に、当該カラオケ歌唱動画について再生箇所評価情報２７ｂを書き換えることにより対処することができる。
【００４０】
＜視聴推薦箇所統計記憶手段＞
視聴推薦箇所統計記憶手段２５は、カラオケ歌唱動画毎に、記憶した指定再生箇所が所定の範囲において所定数以上存在した場合に、当該所定の範囲を当該カラオケ歌唱動画の視聴推薦箇所情報として、当該カラオケ歌唱動画の識別情報と関連付けて記憶するためのプログラムからなる。すなわち、視聴推薦箇所統計記憶手段２５は、カラオケ歌唱動画毎に記憶されている再生箇所評価情報２７ｂを統計処理して、カラオケ歌唱動画毎に視聴推薦箇所情報２７ｃを生成して記憶する。
【００４１】
＜視聴推薦箇所情報＞
視聴推薦箇所情報２７ｃは、図５に示すように、視聴者による指定入力に基づき記憶された指定再生箇所が所定の範囲において所定数以上存在した場合に、当該所定の範囲を当該カラオケ歌唱動画の視聴推薦箇所情報として記憶したデータである。
【００４２】
＜視聴推薦箇所情報の作成手順＞
視聴推薦箇所情報２７ｃは、カラオケ歌唱動画毎にそれぞれ作成される。各カラオケ歌唱動画の視聴推薦箇所情報２７ｃを作成するには、例えば、任意のカラオケ歌唱動画を視聴している視聴者が、視聴する価値が高いと評価したタイミングで、カラオケリモコン装置３７の入出力画面に表示されている「見所ボタン」等のアイコンを操作（クリックあるいはタップ等）すると、当該カラオケ歌唱動画の再生開始からの経過時間が指定再生箇所としてカラオケ歌唱動画管理サーバ２０へ送信される。カラオケ歌唱動画管理サーバ２０では、再生箇所評価情報記憶手段２４の機能により、カラオケ歌唱動画毎に、受信した指定再生箇所を記憶する。
【００４３】
そして、視聴推薦箇所統計記憶手段２５の機能により、記憶した指定再生箇所が所定の範囲において所定数以上存在した場合に、当該所定の範囲を当該カラオケ歌唱動画の視聴推薦箇所情報２７ｃとして記憶する。
【００４４】
視聴推薦箇所情報２７ｃの統計処理は、種々の手法が考えられるが、図３に示すように、カラオケ楽曲の演奏時間を時系列で複数の区間に区切り、各区間における指定再生箇所の数を算出する。具体的には、所定時間（例えば１０秒）毎に、カラオケ楽曲の演奏時間を時系列で複数の演奏区間に区切り、各演奏区間において、指定再生箇所が所定数（例えば「５」）以上存在した場合に、当該演奏区間を視聴推薦箇所情報２７ｃとして記憶する。図３に示す例では、演奏経過時間が２０〜３０秒の範囲、９０秒〜１００秒の範囲を視聴推薦箇所とする。
【００４５】
また、図４に示すように、所定時間（例えば１０秒）の範囲に、指定再生箇所が所定回（例えば「５」）以上存在した場合に、当該所定時間の範囲を視聴推薦箇所情報２７ｃとして記憶する。図４に示す例では、演奏経過時間が１４〜２４秒の範囲、８６秒〜９６秒の範囲を視聴推薦箇所とする。図４に示す例では、図３に示す例と比較して、予め所定範囲を設定していないため、指定再生箇所に応じて適切な範囲の視聴推薦箇所を導出することができる。すなわち、図３に示す例は、視聴推薦箇所情報２７ｃの統計処理として簡易な方法であるため、容易に指定再生箇所を導き出すことができる一方、予め設定した所定範囲を超えて複数の指定再生箇所が存在した場合に、所定範囲毎に統計処理が行われるため、適切な範囲の視聴推薦箇所を導出することができない場合もある。いずれの統計処理を行うかは、カラオケシステムの処理能力等に応じて適宜選択することができる。
【００４６】
視聴推薦箇所の表示については、後に詳述するが、例えば、上述した手順で記憶した所定範囲の演奏区間の開始時間を視聴推薦箇所として表示してもよいし、所定範囲の演奏区間の全体を視聴推薦箇所として表示してもよい。
【００４７】
＜カラオケ演奏端末＞
本発明の実施形態に係る視聴推薦箇所表示システム１０を適用するカラオケ演奏端末３０は、図１に示すように、カラオケ本体３１、スピーカ３２、マイクロホン３３、表示装置３４、ビデオカメラ３５、ミキシングアンプ３６、カラオケリモコン装置３７を備えている。
【００４８】
＜マイクロホン／スピーカ＞
マイクロホン３３は、歌唱音声の入力を行うための装置である。マイクロホン３３から入力された歌唱音声信号は、ミキシングアンプ３６により、音楽再生制御手段５８から送出される演奏音声信号とミキシングされると共に増幅され、スピーカ３２へ出力される。なお、マイクロホン３３からの音声入力信号は、Ａ／Ｄコンバータ５９によりデジタル変換されて、カラオケ歌唱動画録音録画手段６１における歌唱音声の録音等に使用される。
【００４９】
＜表示装置＞
表示装置３４は、カラオケ楽曲に関連した背景映像や歌詞テロップ等を表示するための装置で、例えば、液晶ディスプレイ等により構成される。
【００５０】
＜カラオケ本体＞
カラオケ本体３１は、図１に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、Ａ／Ｄコンバータ５９、映像再生制御手段６０、カラオケ歌唱動画録音録画手段６１、視聴推薦箇所表示制御手段６２、再生箇所表示制御手段６３、視聴推薦箇所表示移行手段６４を備えている。
【００５１】
＜中央制御手段＞
中央制御手段５２は、カラオケ本体３１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００５２】
＜ＲＯＭ／ＲＡＭ＞
ＲＯＭ５３は、カラオケ本体３１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能するもので、例えば半導体メモリ等で構成される。なお、物理的な半導体メモリによりＲＡＭ５４を構成するのではなく、ＨＤＤ等を用いて仮想的なＲＡＭ５４を構成してもよい。本実施形態では、ＲＡＭ５４に予約待ち行列５４ａが記憶されるようになっている。この予約待ち行列５４ａは、選曲予約されたカラオケ楽曲について、演奏順に楽曲ＩＤを並べて構成したデータテーブルであり、選曲者の利用者ＩＤ等、他の識別データが紐付けられている場合もある。
【００５３】
＜ＨＤＤ＞
ＨＤＤ５５は、大容量記憶装置として機能するもので、楽曲データベース５５ａ、映像データベース５５ｂが格納されている。なお、ＨＤＤ５５に替えて、あるいはＨＤＤ５５と共に、データを書き替え可能なＤＶＤ等の大容量記憶装置を用いてもよい。
【００５４】
＜楽曲データベース／映像データベース＞
楽曲データベース５５ａは、複数のカラオケ楽曲について、演奏データ及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータベースである。
【００５５】
＜送受信手段＞
ローカル送受信手段５６は、カラオケ本体３１とカラオケリモコン装置３７との間で、データの送受信を行うための電子回路及びプログラムからなる。本実施形態では、赤外線通信により、カラオケ本体３１とカラオケリモコン装置３７との間でデータの送受信が行われる。ネットワーク送受信手段５１は、カラオケ本体３１とカラオケ歌唱動画管理サーバ２０との間で、データの送受信を行うための電子回路及びプログラムからなる。
【００５６】
＜予約管理手段＞
予約管理手段５７は、楽曲検索手段３７ａの機能を用いて検索され、選曲予約された楽曲ＩＤを演奏順に並べて予約待ち行列５４ａを生成し、この予約待ち行列５４ａをＲＡＭ５４に格納して管理するためのプログラムからなる。
【００５７】
＜音楽再生制御手段＞
音楽再生制御手段５８は、楽曲ＩＤに基づいて楽曲データベース５５ａから抽出された演奏データを、ミキシングアンプ３６に出力するための電子回路からなる。なお、演奏データがＭＩＤＩ規格の演奏制御データである場合には、この演奏制御データに基づいて、音源データをデジタル再生すると共にアナログ変換してミキシングアンプ３６に出力する。上述したように、ミキシングアンプ３６は、マイクロホン３３から入力された歌唱者の歌唱音声信号と、音楽再生制御手段５８から送出される演奏音声信号とをミキシングすると共に、アンプ機能により増幅してスピーカ３２より出力するための装置である。
【００５８】
＜映像再生制御手段＞
映像再生制御手段６０は、カラオケ楽曲の演奏中に、映像データベース５５ｂから抽出した背景映像データと、演奏データに含まれる歌詞描出データに基づく歌詞文字とを、当該カラオケ楽曲の演奏データに同期させて表示装置３４に出力するためのプログラムからなる。
【００５９】
＜カラオケ歌唱動画録音録画手段＞
カラオケ歌唱動画録音録画手段６１は、任意のカラオケ楽曲の演奏に伴う利用者の歌唱音声及び歌唱姿態からなるカラオケ歌唱動画を当該カラオケ楽曲の楽曲識別情報（例えば、楽曲ＩＤ）及び当該利用者の利用者識別情報（例えば、利用者ＩＤ）と関連付けて録音・録画するためのプログラムからなる。すなわちカラオケ歌唱動画録音録画手段６１は、カラオケ楽曲が演奏される際に、マイクロホン３３から入力され、Ａ／Ｄコンバータ５９でデジタル変換された歌唱音声信号と、ビデオカメラ３５から入力される映像信号とを用いて、当該カラオケ楽曲の楽曲識別情報と当該利用者の利用者識別情報とを関連付けて、カラオケ歌唱動画データ２７ａを生成する。
【００６０】
ビデオカメラ３５は、利用者の歌唱姿態を撮影するための装置であり、撮像レンズ及び撮像素子を主要な構成要素とし、フォーカシング機構、ズーム機構、パン・チルト機構等を備えていてもよい。ビデオカメラ３５で撮影が行われると、映像信号（ビデオ信号）がカラオケ歌唱動画録音録画手段６１に入力される。
【００６１】
＜視聴推薦箇所表示制御手段＞
視聴推薦箇所表示制御手段６２は、任意のカラオケ歌唱動画を再生する際に、当該カラオケ歌唱動画の識別情報に関連付けられた視聴推薦箇所情報に基づき、当該カラオケ歌唱動画の視聴推薦箇所を表示するためのプログラムからなる。すなわち、視聴推薦箇所表示制御手段６２は、カラオケ歌唱動画管理サーバ２０にアクセスして、カラオケ歌唱動画データ２７ａ及び視聴推薦箇所情報２７ｃをダウンロードし、視聴推薦箇所であるカラオケ歌唱動画の再生箇所を表示装置３４の表示画面等に表示させる。
【００６２】
なお、視聴推薦箇所は、例えば、カラオケ演奏端末３０に付帯した表示装置３４や、カラオケ歌唱動画管理サーバ２０にネットワーク接続されている視聴者のパーソナルコンピュータ又は携帯情報端末に付帯した表示装置等で、カラオケ歌唱動画を再生する際に、当該カラオケ歌唱動画とともに表示される。再生箇所表示についても同様であるため、具体的な視聴推薦箇所及び再生箇所の表示については、後に詳述する。
【００６３】
＜再生箇所表示制御手段＞
再生箇所表示制御手段６３は、任意のカラオケ歌唱動画を再生する際に、当該カラオケ歌唱動画の再生に伴う時系列の再生箇所を表示するためのプログラムからなる。すなわち、再生箇所表示制御手段６３は、カラオケ歌唱動画の再生に伴う現在の演奏経過時間を示すスライダ１０１を時系列的に表示する。具体的には、図６に示すように、時間軸方向に伸びた演奏経過時間表示バー１００上に現在の演奏経過時間を示すスライダ１０１を表示する。この際、視聴推薦箇所表示制御手段６２は、スライダ１０１に対して、視聴推薦箇所（見所ポインタ１０２）を時系列に表示する。また、演奏経過時間表示バー１００に近接して、再生開始、再生停止、早送り、早戻し等を指示するための再生操作アイコン１０３を表示してもよい。
【００６４】
＜視聴推薦箇所表示移行手段＞
視聴推薦箇所表示移行手段６４は、任意のカラオケ歌唱動画を再生する際に、再生開始箇所を当該カラオケ歌唱動画の視聴推薦箇所に移行可能とするためのプログラムからなる。すなわち、視聴推薦箇所表示移行手段６４は、カラオケ歌唱動画の再生開始箇所を、当該カラオケ歌唱動画の視聴推薦箇所に移行することができる。図６に示す例では、視聴者が演奏経過時間表示バー１００上に表示されるスライダ１０１を見所ポインタ１０２までスライドさせると、当該見所ポインタ１０２の位置からカラオケ歌唱動画の再生を開始することができる。また、自動的に、見所ポインタ１０２の位置からカラオケ歌唱動画の再生を開始してもよい。
【００６５】
なお、上述したように、視聴推薦箇所は所定時間の範囲を指定したものであり、見所ポインタ１０２はその開始位置を示すものである。したがって、視聴推薦箇所表示移行手段６４は、見所ポインタ１０２の位置から所定時間が経過するまでを視聴推薦箇所として、カラオケ歌唱動画の再生を行う。ここで、自動的に見所ポインタ１０２の位置からカラオケ歌唱動画の再生を開始する場合に、視聴推薦箇所が複数存在すると、一の視聴推薦箇所においてカラオケ歌唱動画の再生が終了すると、次の視聴推薦箇所にジャンプしてカラオケ歌唱動画の再生を行う。
【００６６】
＜カラオケリモコン装置＞
カラオケリモコン装置３７は、ユーザインタフェース機能を備えており、カラオケ本体３１のローカル送受信手段５６との間で有線方式又は無線方式によりデータの送受信を行うようになっている。このカラオケリモコン装置３７は、楽曲検索手段３７ａ、楽曲索引データベース３７ｂ、データ記憶部３７ｃ、入出力表示部３７ｄ、データの送受信を行うための電子回路及びプログラム（図示せず）を備えている。
【００６７】
＜楽曲検索手段／楽曲索引データベース＞
楽曲検索手段３７ａは、利用者が入力した検索条件に基づいてカラオケ楽曲を検索するためのプログラムからなる。すなわち、楽曲検索手段３７ａは、利用者による検索条件（曲名、歌手名、音楽ジャンル区分、流行時期等）の入力に基づき、楽曲索引データベース３７ｂを参照して楽曲を検索する。楽曲索引データベース３７ｂは、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・演奏形態・デュエット曲など、種々の属性情報がこれに含まれている。楽曲検索手段３７ａにより楽曲検索を行うとカラオケリモコン装置３７の入出力表示部３７ｄに、検索結果が一覧表示される。
【００６８】
＜データ記憶部＞
データ記憶部３７ｃは、選曲予約の履歴等を記憶するための領域で、図示しないが、選曲予約データ、選曲予約履歴データ等、各種のデータが記憶される。
【００６９】
＜入出力表示部＞
入出力表示部３７ｄは、例えば、タッチパネル式の液晶表示装置３４からなり、上述したように、楽曲検索手段３７ａにより検索を行う際の入力表示、検索結果の一覧表示、各種の案内表示等を行うと共に、表示されるアイコン等を操作することにより、再生箇所評価情報２７ｂの入力指示を行うことができる。
【００７０】
＜他の実施形態＞
本発明の視聴推薦箇所表示システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、ネットワークを介して複数のカラオケ演奏端末３０を接続するのではなく、一つの店舗内において、ＬＡＮ接続された複数のカラオケ演奏端末３０と、当該店舗内に設置されたカラオケ歌唱動画管理サーバ２０とを利用して、視聴推薦箇所表示システム１０を構成してもよい。
【符号の説明】
【００７１】
１０  視聴推薦箇所表示システム
２０  カラオケ歌唱動画管理サーバ
２１  サーバ制御手段
２２  データ送受信手段
２３  カラオケ歌唱動画管理手段
２４  再生箇所評価情報記憶手段
２５  視聴推薦箇所統計記憶手段
２６  カラオケ歌唱動画データベース
２７  記憶手段
２７ａ  カラオケ歌唱動画データ
２７ｂ  再生箇所評価情報
２７ｃ  視聴推薦箇所情報
３０  カラオケ演奏端末
３１  カラオケ本体
３２  スピーカ
３３  マイクロホン
３４  表示装置
３５  ビデオカメラ
３６  ミキシングアンプ
３７  カラオケリモコン装置
３７ａ  楽曲検索手段
３７ｂ  楽曲索引データベース
３７ｃ  データ記憶部
３７ｄ  入出力表示部
４０  インターネット
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５６  ローカル送受信手段
５７  予約管理手段
５８  音楽再生制御手段
５９  Ａ／Ｄコンバータ
６０  映像再生制御手段
６１  カラオケ歌唱動画録音録画手段
６２  視聴推薦箇所表示制御手段
６３  再生箇所表示制御手段
６４  視聴推薦箇所表示移行手段
７０  ルータ
１００  演奏経過時間表示バー
１０１  スライダ
１０２  見所ポインタ
１０３  再生操作アイコン
【図１】
2014149399.tif 000003
【図２】
2014149399.tif 000004
【図３】
2014149399.tif 000005
【図４】
2014149399.tif 000006
【図５】
2014149399.tif 000007
【図６】
2014149399.tif 000008